(57)【要約】  【課題】  利用者の操作負担を軽減した適切なディスク再生を行うことが可能なディスク再生装置を提供する。  【解決手段】  ディスク再生装置１００は、トレイ１０８に搭載されたディスク２００のＴＯＣ情報と、トレイ１０８のトレイ番号とを対応付けて、メモリＩＣ１０４に記憶し、ディスク２００の取り出しに伴ってディスク２００の再生が中断された場合に、その再生が中断されたディスク２００における中断位置のアドレスをメモリＩＣ１０４に記憶し、ディスク２００の取り出しから所定時間内にディスク２００が挿入されない場合に、ＴＯＣ情報及びトレイ番号と、中断位置のアドレスとにより特定される、ディスク２００の中断位置から再生を再開する。【選択図】  図１
2006252590.tif 000002
【特許請求の範囲】
【請求項１】
複数のトレイに搭載されたディスクを選択して再生するディスク再生装置であって、
前記トレイに搭載されたディスクの識別情報を記憶するディスク識別情報記憶手段と、  再生中又は非再生中のディスクの取り出しに伴ってディスクの再生が中断された場合に、再生が中断されたディスクにおける中断位置の特定情報を記憶する中断位置特定情報記憶手段と、
前記ディスクの再生が中断された後に、ディスクの挿入がなされたか否かを判定する挿入判定手段と、
前記挿入判定手段によりディスクの挿入がなされていないと判定された場合に、前記再生が中断されたディスクの識別情報と前記中断位置の特定情報とにより特定される、前記再生が中断されたディスクの中断位置から再生を再開する第１の再生再開手段とを有することを特徴とするディスク再生装置。
【請求項２】
前記挿入判定手段によりディスクの挿入がなされたと判定された場合に、挿入されたディスクから該ディスクの識別情報を読み出すディスク識別情報読み出し手段と、
前記ディスク識別情報読み出し手段により読み出されたディスクの識別情報と、前記再生が中断されたディスクの識別情報とが一致するか否かを判定するディスク識別情報比較手段と、
前記ディスク識別情報比較手段により、前記ディスク識別情報読み出し手段により読み出されたディスクの識別情報と、前記再生が中断されたディスクの識別情報とが一致すると判定された場合に、前記挿入されたディスクにおける、前記中断位置の特定情報により特定される中断位置から再生を再開する第２の再生再開手段とを有することを特徴とする請求項１に記載のディスク再生装置。
【請求項３】
前記中断位置の特定情報は、再生が中断されたディスクにおける中断位置のアドレス情報を含むことを特徴とする請求項１又は２に記載のディスク再生装置。
【請求項４】
前記中断位置の特定情報は、中断時に再生されていたコンテンツの識別情報を含むことを特徴とする請求項１乃至３のいずれかに記載のディスク再生装置。
【請求項５】
前記挿入判定手段は、ディスクの取り出しから所定時間経過してもディスクが挿入されなかった場合に、ディスクの挿入がなされていないと判定することを特徴とする請求項１乃至４のいずれかに記載のディスク再生装置。
【発明の詳細な説明】
【技術分野】
【０００１】
本発明は、複数のトレイに搭載されたディスクを選択して再生するディスク再生装置に関する。
【背景技術】
【０００２】
従来から複数のＣＤ（コンパクトディスク）やＤＶＤ（デジタルバーサタイルディスク）等のディスクをそれぞれトレイに搭載し、これらディスクを任意に選択して再生可能なディスク再生装置が提供されている（例えば、特許文献１参照）。このようなディスク再生装置の中には、車載用のものも存在する。車載用のディスク再生装置では、設置スペースの関係上、装置の小型化が図られている。このため、例えば、ディスクの再生と非再生中のディスクの取り出しとを独立して行うことができず、ディスクの再生を停止した後に、ディスクの取り出しが行われるものが存在する。
【０００３】
図６は、従来のディスク再生装置の動作を示すフローチャートである。ディスク再生装置は、ディスクの再生中において（Ｓ５０１）、その再生中のディスク以外のディスク（非再生中ディスク）の取り出し指示を受け付けると（Ｓ５０２）、ディスク再生を停止した上で（Ｓ５０３）、取り出し対象のディスクが搭載されたトレイを取り出し口まで搬送し（Ｓ５０４）、取り出す（Ｓ５０５）。その後、ディスク再生装置は、ディスク挿入の待ち状態となり（Ｓ５０６）、ディスクが挿入されたか否かを判定する（Ｓ５０７）。ディスクが挿入された場合には、ディスク再生装置は、その挿入されたディスクを再生し（Ｓ５０８）、挿入されなかった場合には、一連の動作を終了する。
【特許文献１】特開２００３−２１７２２０号公報
【発明の開示】
【発明が解決しようとする課題】
【０００４】
しかし、従来のディスク再生装置では、図６に示すように、ディスクの取り出し時にディスク再生が停止されると、その後、新たなディスクが挿入されなくても、再生が停止されたディスクの再生が自動的に再開されることがない。このため、利用者は、ディスクの再生を再開させた場合には、その再生を再開させたいディスクを選択する操作を行う必要がある。また、ディスクが選択されたとしても、最初のコンテンツから再生されるため、利用者は、更に再生が停止されたコンテンツを選択する操作が必要となる。しかも、ＭＰ３（MPEG Audio Layer-3）形式等の圧縮データがディスクに記録されている場合には、そのディスクには膨大な量のコンテンツが記録され得るため、利用者が所望のコンテンツを選択することは困難である。
【０００５】
本発明の目的は、上述した問題を解決するものであり、利用者の操作負担を軽減した適切なディスク再生を行うことが可能なディスク再生装置を提供するものである。
【課題を解決するための手段】
【０００６】
本発明のディスク再生装置は、複数のトレイに搭載されたディスクを選択して再生するものであって、前記トレイに搭載されたディスクの識別情報を記憶するディスク識別情報記憶手段と、再生中又は非再生中のディスクの取り出しに伴ってディスクの再生が中断された場合に、再生が中断されたディスクにおける中断位置の特定情報を記憶する中断位置特定情報記憶手段と、前記ディスクの再生が中断された後に、ディスクの挿入がなされたか否かを判定する挿入判定手段と、前記挿入判定手段によりディスクの挿入がなされていないと判定された場合に、前記再生が中断されたディスクの識別情報と前記中断位置の特定情報とにより特定される、前記再生が中断されたディスクの中断位置から再生を再開する第１の再生再開手段とを有する。
【０００７】
この構成により、ディスクの取り出しに伴ってディスクの再生が中断され、その後、ディスクが挿入されなかった場合には、ディスクの識別情報と中断位置の特定情報とにより再生が中断されたディスクの中断位置が特定され、その中断位置から再生が行われる。このため、利用者は、再生が中断されたディスクについて、中断位置から再生を再開するための操作を行う必要がなく、利用者の操作負担を軽減することが可能となる。
【０００８】
また、本発明のディスク再生装置は、前記挿入判定手段によりディスクの挿入がなされたと判定された場合に、挿入されたディスクから該ディスクの識別情報を読み出すディスク識別情報読み出し手段と、前記ディスク識別情報読み出し手段により読み出されたディスクの識別情報と、前記再生が中断されたディスクの識別情報とが一致するか否かを判定するディスク識別情報比較手段と、前記ディスク識別情報比較手段により、前記ディスク識別情報読み出し手段により読み出されたディスクの識別情報と、前記再生が中断されたディスクの識別情報とが一致すると判定された場合に、前記挿入されたディスクにおける、前記中断位置の特定情報により特定される中断位置から再生を再開する第２の再生再開手段とを有する。
【０００９】
この構成により、再生中のディスクが取り出され、再度挿入された場合には、再生が中断した位置から再生が再開されることが可能となる。
【００１０】
また、本発明のディスク再生装置は、前記中断位置の特定情報が、再生が中断されたディスクにおける中断位置のアドレス情報を含む。
【００１１】
この構成により、アドレス情報に基づいて中断位置を適切に特定することが可能となる。
【００１２】
また、本発明のディスク再生装置は、前記中断位置の特定情報が、中断時に再生されていたコンテンツの識別情報を含む。
【００１３】
この構成により、中断時に再生されていたコンテンツが特定可能となるため、再生の再開において中断位置から再生を行うのみならず、再生が中断されたコンテンツの最初から再生するいわゆる頭出し再生を行うことが可能となる。
【００１４】
また、本発明のディスク再生装置は、前記挿入判定手段が、ディスクの取り出しから所定時間経過してもディスクが挿入されなかった場合に、ディスクの挿入がなされていないと判定する。
【発明の効果】
【００１５】
本発明によれば、利用者は、ディスク再生再開のための操作が必要でなく、ディスク再生の再開を適切に行うことが可能となる。
【発明を実施するための最良の形態】
【００１６】
以下、本発明の実施の形態について、図面を参照して具体的に説明する。
【００１７】
図１は、本発明の実施の形態にかかるディスク再生装置のブロック図である。同図に示すディスク再生装置１００は、複数のＣＤを搭載して再生することが可能なＣＤプレイヤである。
【００１８】
このディスク再生装置１００は、制御部１０２、メモリＩＣ１０４、ディスクチェンジャ１０６、当該ディスクチェンジャ１０６内のトレイ１０８−１乃至１０８−６（以下、トレイ１０８−１乃至１０８−６をまとめて、適宜「トレイ１０８」と称する）、光ピックアップ１０９、ディスクチェンジャ制御部１１０、オーディオ信号処理部１１２、アンプ１１４、スピーカ１１６及び操作部１１８を有する。
【００１９】
図１では、トレイ１０８−２にディスク２００−１、トレイ１０８−３にディスク２００−２、トレイ１０８−６にディスク２００−３（以下、ディスク２００−１乃至２００−３をまとめて、適宜「ディスク２００」と称する）がそれぞれ搭載されている。また、各トレイ１０８には、トレイ番号が付されている。
【００２０】
制御部１０２は、ディスク再生装置１００の全体を制御する。この制御部１０２は、利用者によって操作部１１８が操作された場合、操作部１１８から送られる操作信号に基づいて、利用者の指示を判別する。そして、制御部１０２は、判別した利用者の指示に応じて、ディスク２００の挿入、再生、取り出しの制御を行う。
【００２１】
各トレイ１０８は、ディスク２００の挿入、再生、取り出しにおいて上下に移動する。また、ディスクチェンジャ１０６には、ディスク２００の取り出し口１０７が形成されており、ディスク２００の挿入及び取り出しの際には、挿入されるディスク２００が搭載されるトレイ１０８や、取り出されるディスク２００が搭載されたトレイ１０８が取り出し口１０７まで移動する。
【００２２】
光ピックアップ１０９は、取り出し口１０７の位置にあるトレイ１０８に搭載されたディスク２００から情報を読み出すことが可能な位置に設けられている。従って、新たに挿入されたディスク２００が再生される場合には、その挿入されたディスク２００が搭載されたトレイ１０８が上下に移動しなくても、光ピックアップ１０９は情報を読み出すことが可能である。一方、新たに挿入されたディスク２００以外のディスク２００が再生される場合には、そのディスク２００が搭載されたトレイ１０８が取り出し口１０７の位置まで移動することにより、光ピックアップ１０９は情報を読み出すことが可能となる。また、光ピックアップ１０９は、ディスク２００の挿入、再生、取り出しにおいてトレイ１０８が移動する場合、その移動に支障がない位置に移動する。
【００２３】
以下、ディスク挿入、再生、取り出しのそれぞれの動作の詳細を説明する。図２は、ディスク再生装置１００の動作を示す第１のフローチャートである。
【００２４】
制御部１０２は、ディスクチェンジャ制御部１１０に対し、ディスク２００が搭載されていないトレイ１０８（以下、「空きトレイ１０８」と称する）のいずれかのトレイ番号を指定して、ディスク２００の挿入の指示を出す。ディスクチェンジャ制御部１１０は、この指示に従って、ディスクチェンジャ１０６に対し、入力したトレイ番号の空きトレイ１０８にディスク２００を搭載させる制御を行う。ディスクチェンジャ１０６は、この制御に応じて、空きトレイ１０８を取り出し口１０７まで移動させ、当該空きトレイ１０８にディスク２００を挿入して搭載する（Ｓ１０１）。
【００２５】
次に、制御部１０２は、ディスクチェンジャ制御部１１０に対し、挿入されたディスク２００からＴＯＣ（Table Of Contents）情報を読み出す指示を出す。ディスクチェンジャ制御部１１０は、この指示に従って、光ピックアップ１０９に対し、ＴＯＣ情報を読み出す制御を行う。光ピックアップ１０９は、この制御に応じて、挿入されたディスク２００に記録されたＴＯＣ情報を読み出す動作を行う（Ｓ１０２）。ＴＯＣ情報は、例えば、ディスク２００の記録領域の最内周に記録されており、ディスク２００に記憶されているコンテンツである曲の数と、各曲の識別情報及び再生時間とによって構成される。
【００２６】
光ピックアップ１０９によってディスク２００から読み出されたＴＯＣ情報は、オーディオ信号処理部１１２へ送られる。オーディオ信号処理部１１２は、入力されたＴＯＣ情報に対し、誤り訂正等の処理を施す。更に、オーディオ信号処理部１１２は、処理後のＴＯＣ情報を制御部１０２へ出力する。制御部１０２は、このＴＯＣ情報と、挿入されたディスク２００が搭載されたトレイ１０８のトレイ番号とを対応付けて、ディスク識別情報としてメモリＩＣ１０４に記憶させる（Ｓ１０３）。
【００２７】
図３は、ＩＣメモリ１０４に記憶されるディスク識別情報の一例を示す図である。図３は、図１に示すように、トレイ番号２に対応するトレイ１０８−２にディスク２００−１、トレイ番号３に対応するトレイ１０８−３にディスク２００−２、トレイ番号６に対応するトレイ１０８−６にディスク２００−３がそれぞれ搭載されている場合の例である。
【００２８】
図４は、ディスク再生装置１００の動作を示す第２のフローチャートである。制御部１０２は、ディスクチェンジャ制御部１１０に対して、再生対象のディスク２００が搭載されたトレイ１０８のトレイ番号を指定して、再生指示を出す。ディスクチェンジャ制御部１１０は、この指示に従って、ディスクチェンジャ１０６に対し、入力したトレイ番号のトレイ１０８を光ピックアップ１０９の配置位置へ移動させる制御を行う。ディスクチェンジャ１０６は、この制御に応じて、トレイ１０８を光ピックアップ１０９の配置位置へ移動させる。
【００２９】
更に、ディスクチェンジャ制御部１１０は、光ピックアップ１０９に対し、情報を読み出す制御を行う。光ピックアップ１０９は、この制御に応じて、ディスク２００に記録された情報を読み出す。
【００３０】
光ピックアップ１０９によってディスク２００から読み出された情報は、随時、オーディオ信号処理部１１２へ送られる。オーディオ信号処理部１１２は、入力された情報に対し、誤り訂正等の処理を施す。更に、オーディオ信号処理部１１２は、処理後の情報をオーディオデータと、それ以外の属性データとに分離し、オーディオデータについてはアンプ１１４へ出力し、属性データについては制御部１０２へ出力する。属性データには、ディスク２００においてその時点で再生対象となっている曲が記録された記録領域の先頭のアドレス（再生曲先頭アドレス）や、ディスク２００の記録領域における再生位置のアドレス（再生位置アドレス）が含まれている。アンプ１１４は、入力されたオーディオデータを増幅し、オーディオ音をスピーカ１１６から出力する。これにより、ディスク２００の再生が行われる（Ｓ２０１）。
【００３１】
その後、利用者が操作部１１８を操作して、ディスク２００の取り出しを指示すると、制御部１０２は、この指示を受け付ける（Ｓ２０２）。ここで、取り出し対象となるディスク２００は、再生中のものでも良く、再生中以外のものでも良い。次に、制御部１０２は、ディスクチェンジャ制御部１１０に対して、ディスク２００からの情報読み出しの中断を指示する。ディスクチェンジャ制御部１１０は、この指示に従って、光ピックアップ１０９に対し、情報読み出しを中断する制御を行う。光ピックアップ１０９は、ディスクチェンジャ制御部１１０の制御に応じて、再生対象のディスク２００からの情報の読み出しを停止し、トレイ１０８の移動に支障がない位置まで移動する。これにより、ディスク２００再生が中断される（Ｓ２０３）。
【００３２】
更に、制御部１０２は、その時点でオーディオ信号処理部１１２から出力される属性データに含まれる、再生曲先頭アドレス及び再生位置アドレスを取得する。ここで、再生曲先頭アドレスは、ディスク２００において再生が中断された曲が記録された記録領域の先頭アドレス（中断曲先頭アドレス）であり、再生位置アドレスは、再生が中断されたディスク２００における中断位置のアドレス（中断位置アドレス）である。制御部１０２は、これら中断曲先頭アドレス及び中断位置アドレスからなる中断位置特定情報と、ＩＣメモリ１０４に記憶されている、再生が中断されたディスク２００に対応するトレイ番号（再生が中断されたディスク２００が搭載されているトレイ１０８のトレイ番号）及びＴＯＣ情報に対応付ける。そして、制御部１０２は、これらトレイ番号、ＴＯＣ情報及び中断位置特定情報からなる再生再開情報をＩＣメモリ１０４に記憶する。図５は、再生再開情報の一例を示す図である。
【００３３】
次に、制御部１０２は、ディスクチェンジャ制御部１１０に対し、取り出し対象のディスク２００が搭載されたトレイ１０８のトレイ番号を指定して、ディスク２００の取り出しを指示する。ディスクチェンジャ制御部１１０は、この指示に従って、ディスクチェンジャ１０６に対し、入力したトレイ番号のトレイ１０８を取り出し口１０７へ搬送させる制御を行う。ディスクチェンジャ１０６は、この制御に応じて、取り出し対象のディスク２００が搭載されたトレイ１０８を取り出し口１０７へ搬送し（Ｓ２０５）、当該トレイ１０８に搭載されているディスク２００を取り出して、取り出し口１０７から排出する（Ｓ２０６）。
【００３４】
その後、制御部１０２は、ディスク挿入の待ち状態となり（Ｓ２０７）、ディスク２００が挿入されたか否かを判定する（Ｓ２０８）。ディスク２００が取り出されてから所定時間内にディスク２００が挿入されなかった場合、制御部１０２は、Ｓ２０６において再生が中断されたディスク２００が取り出されていたか否かを判定する（Ｓ２０９）。具体的には、制御部１０２は、ＩＣメモリ１０４に記憶されている再生再開情報を読み出し、当該再生再開情報に含まれるトレイ番号のトレイ１０８にディスク２００が搭載されていれば、Ｓ２０６において再生が中断されたディスク２００が取り出されていたと判定し、空いていれば、Ｓ２０６において再生が中断されたディスク２００が取り出されていないと判定する。
【００３５】
再生が中断されたディスク２００が取り出された場合には、一連の動作が終了する。一方、再生が中断されたディスク２００が取り出されていない場合には、制御部１０２は、ディスクチェンジャ制御部１１０に対し、再生再開情報に含まれるトレイ番号と中断位置アドレスとを指定して、再生が中断されたディスク２００の再生再開を指示する。ディスクチェンジャ制御部１１０は、この指示に従って、ディスクチェンジャ１０６に対し、入力したトレイ番号のトレイ１０８を光ピックアップ１０９の配置位置へ移動させる制御を行う。ディスクチェンジャ１０６は、この制御に応じて、トレイ１０８を光ピックアップ１０９の配置位置へ移動させる。
【００３６】
更に、ディスクチェンジャ制御部１１０は、光ピックアップ１０９に対し、入力した中断位置アドレスによって特定されるディスク２００の記憶領域から情報の読み出しを再開する制御を行う。光ピックアップ１０９は、この制御に応じて、情報の読み出しを再開する。光ピックアップ１０９によってディスク２００から読み出された情報は、オーディオ信号処理部１１２へ送られ、当該オーディオ信号処理部１１２は、入力された情報に対し、誤り訂正等の処理を施して、処理後の情報をオーディオデータと、それ以外の属性データとに分離し、オーディオデータについてはアンプ１１４へ出力し、属性データについては制御部１０２へ出力する。アンプ１１４は、入力されたオーディオデータを増幅し、オーディオ音をスピーカ１１６から出力する。これにより、再生が中断されたディスク２００について、中断位置から再生が再開されることになる（Ｓ２１０）。
【００３７】
なお、利用者がいわゆる頭出し再生での再生再開を指示した場合には、制御部１０２は、ディスクチェンジャ制御部１１０に対し、中断位置アドレスに代えて、中断曲先頭アドレスを指定して、再生が中断されたディスク２００の再生再開を指示する。ディスクチェンジャ制御部１１０は、この指示に従って、ディスクチェンジャ１０６に対し、入力した中断曲先頭アドレスによって特定されるディスク２００の記憶領域から情報の読み出しを再開する制御を行う。光ピックアップ１０９は、この制御に応じて、情報の読み出しを再開する。これにより、再生が中断されたディスク２００について、中断された曲の先頭から再生が再開されることになる。
【００３８】
一方、ディスク２００が取り出されてから所定時間内にディスク２００が挿入されると、上述した図２に示す動作と同様の動作が行われ、挿入されたディスク２００からＴＯＣ情報が読み出される。そして、制御部１１０は、挿入されたディスク２００から読み出されたＴＯＣ情報と、再生再開情報に含まれるＴＯＣ情報、換言すれば、再生が中断されたディスク２００のＴＯＣ情報とが一致するか否かを判定する（Ｓ２１１）。ＴＯＣ情報が一致する場合には、再生されていたディスク２００が取り出され、再度挿入されたということである。この場合、上述と同様、挿入されたディスク２００、すなわち、再生が中断されたディスク２００について、中断位置あるいは中断曲の先頭から再生を再開する動作が行われる（Ｓ２１０）。
【００３９】
一方、挿入されたディスク２００から読み出されたＴＯＣ情報と、再生再開情報に含まれるＴＯＣ情報とが一致しない場合には、挿入されたディスク２００の再生が行われる（Ｓ２１２）。具体的には、制御部１０２は、ディスクチェンジャ制御部１１０に対し、ディスク２００からの情報の読み出しを指示する。ディスクチェンジャ制御部１１０は、この指示に従って、光ピックアップ１０９に対し、情報を読み出す制御を行う。光ピックアップ１０９は、この制御に応じて、ディスク２００に記録された情報を読み出す。なお、挿入されたディスク２００が搭載されたトレイ１０８は、光ピックアップ１０９がその挿入されたディスク２００から情報を読み取ることが可能な位置にあるため、トレイ１０８を移動させる必要がない。従って、制御部１０２は、挿入されたディスク２００を再生する制御において、ディスクチェンジャ制御部１１０に対してトレイ番号を指定する必要はない。
【００４０】
光ピックアップ１０９によってディスク２００から読み出された情報は、随時、オーディオ信号処理部１１２へ送られ、オーディオ信号処理部１１２は、入力された情報に対し、誤り訂正等の処理を施して、処理後の情報をオーディオデータと、それ以外の属性データとに分離し、オーディオデータについてはアンプ１１４へ出力し、属性データについては制御部１０２へ出力する。オーディオデータはアンプ１１４によって増幅され、オーディオ音がスピーカ１１６から出力される。これにより、挿入されたディスク２００の再生が行われる。
【００４１】
このように、本実施形態のディスク再生装置１００は、ディスク２００が取り出される場合に、一旦、ディスク２００の再生を中断するが、その後、ディスク２００が挿入されなかった場合や、再生が中断されたディスク２００が取り出され、再度、挿入された場合には、中断位置あるいは中断された曲の先頭から再生を再開する。このため、利用者は、再生が中断されたディスクについて、中断位置から再生を再開するための操作を行う必要がなく、利用者の操作負担を軽減した適切なディスク再生を行うことが可能となる。
【００４２】
なお、上述した実施形態では、ＣＤプレイヤとしてのディスク再生装置１００について説明したが、ＤＶＤ等のＣＤ以外のディスクを再生するディスク再生装置についても、同様に本発明を適用することができる。
【産業上の利用可能性】
【００４３】
以上、説明したように、本発明に係るディスク再生装置は、利用者の操作負担を軽減した適切なディスク再生が可能になるという効果を奏し、ディスク再生装置として有用である。
【図面の簡単な説明】
【００４４】
【図１】ディスク再生装置のブロック図である。
【図２】ディスク再生装置の動作を示す第１のフローチャートである。
【図３】ディスク識別情報の一例を示す図である。
【図４】ディスク再生装置の動作を示す第２のフローチャートである。
【図５】再生再開情報の一例を示す図である。
【図６】従来のディスク再生装置の動作を示すフローチャートである。
【符号の説明】
【００４５】
１００  ディスク再生装置
１０２  制御部
１０４  メモリＩＣ
１０６  ディスクチェンジャ
１０７  取り出し口
１０８−１、１０８−２、１０８−３、１０８−４、１０８−５、１０８−６  トレイ  １０９  光ピックアップ
１１０  ディスクチェンジャ制御部
１１２  オーディオ信号処理部
１１４  アンプ
１１６  スピーカ
１１８  操作部
２００−１、２００−２、２００−３  ディスク
【図１】
2006252590.tif 000003
【図２】
2006252590.tif 000004
【図３】
2006252590.tif 000005
【図４】
2006252590.tif 000006
【図５】
2006252590.tif 000007
【図６】
2006252590.tif 000008